(57)【要約】【課題】光コネクタアダプタなどのコネクタハウジングのコネクタ穴の奥側の被接続側光コネクタからの出射光をシャッターによって遮光する技術に関し、コネクタハウジングの大型化などの影響を与えること無く、シャッターを設置できる技術の開発が求められていた。【解決手段】コネクタハウジング１４の中央部にシャッターユニット１５を組み込み、コネクタ穴内の被接続側光コネクタ１６Ｂからの出射光を、シャッターユニット１５のシャッター片５３Ａによって遮光できるシャッター付き光コネクタ１０を提供する。さらに、シャッター片５３Ａは、コネクタ穴１４ａへ挿入した光コネクタ１６Ａ先端の接合端面１９ｂがシャッター片５３Ａに接触する前に、光コネクタ１６Ａのハウジング１７の先端部１７ｂによって押圧されることでコネクタ穴１４ａ内への突出量を減少するように押し倒される。【選択図】        図１４
2004226665.tif 000002
【特許請求の範囲】
【請求項１】
光コネクタ（１６Ａ、４７）が挿入、接続されるコネクタ穴（１４ａ、４６、１０４ａ）内にて前記光コネクタと被接続側光コネクタ（１６Ｂ、４８）とが接続されるようになっているコネクタハウジング（１４、４５ｈ、１０４）に、前記被接続側光コネクタから出射される光を遮光するシャッターユニット（１５、１０５）が組み込まれており、
前記シャッターユニットは、前記コネクタハウジングに取り付けられる本体部（５１、１５１）と、この本体部から前記コネクタ穴に突出するようにして、前記被接続側光コネクタの先端に露出する光ファイバ（１９ａ）からの出射光を遮光可能に配置される舌片状のシャッター片（４０、５３、５３Ａ、５３Ｂ、１５３、１５３Ａ、１５３Ｂ）とを有し、
前記シャッター片は、前記コネクタハウジングに組み込まれた前記被接続側光コネクタ先端の接合端面（１９ｂ）と対面する位置に配置された遮光板部（４１、５９、１５９）と、前記コネクタ穴に挿入した光コネクタの接合端面以外の部位によって押圧されるコネクタ当接部（４２、５８、１５８）とを有し、前記コネクタ当接部が前記光コネクタによって押圧されることで前記コネクタ穴内への突出量を減少するように押し倒されて前記光コネクタの前記被接続側光コネクタに対する接続を可能とするようになっており、しかも、前記光コネクタが前記コネクタ当接部に当接されているときに、前記光コネクタの接合端面に対する前記遮光板部の非接触状態が維持されるようになっていることを特徴とするシャッター付き光コネクタ。
【請求項２】
前記コネクタハウジングには、２枚の前記シャッター片が設けられており、各シャッター片と本体部との連結位置（５２、１５２）は、コネクタハウジングのコネクタ穴の中心軸線を介して両側に位置しており、各シャッター片は前記本体部との連結位置からコネクタ穴に突出するようにして設けられて、前記コネクタ穴を塞ぐようにして重ね合わされていることを特徴とする請求項１記載のシャッター付き光コネクタ。
【請求項３】
シャッター片には、前記コネクタ当接部として、光コネクタによってシャッター片が押し倒される方向とは逆の方向に突出する突部が形成されており、
前記遮光板部が、前記コネクタ当接部に比べて、前記光コネクタによる前記シャッター片の押し倒し方向前方にシフトした所に位置することを特徴とする請求項１又は２記載のシャッター付き光コネクタ。
【発明の詳細な説明】
【０００１】
【発明の属する技術分野】
本発明は、光コネクタに係り、特に、光コネクタが挿入、接続されるコネクタハウジングにおいて、被接続側光コネクタからの出射光を遮光するシャッターが設けられているシャッター付き光コネクタに関する。
【０００２】
【従来の技術】
図２５に示すように、例えば、光コネクタアダプタ１のコネクタ穴２に光コネクタ３（光コネクタプラグ）を挿入して、光コネクタアダプタ１に逆側から挿入接続されている光コネクタ４（光コネクタプラグ。以下「アダプタ側光コネクタ」と称する場合がある）に対して接続する場合、アダプタ側光コネクタ４先端からの出射光Ｈが、挿入側の光コネクタ３を操作する作業者の目に入らないように防護したい要求がある。同様の要求は、例えば、光コネクタレセプタクルなどの各種コネクタハウジングに対する光コネクタの挿入、接続に共通に存在する。
前述の要求に鑑みて、例えば、光コネクタアダプタ１のコネクタ穴２の開口部付近に、コネクタ穴２を開閉する蓋を取り付け、アダプタ側光コネクタ４からの出遮光を遮光することが幾つか提案されている（例えば特許文献１、２参照）。
【０００３】
【特許文献１】
特開平６−２０１９５３号公報
【特許文献２】
特開２００２−２４３９７８号公報
【０００４】
【発明が解決しようとする課題】
しかしながら、前述の蓋による遮光には、以下のような問題があった。
（１）多くのものは、光コネクタの挿入時に手動で開放操作する必要があり、この操作の手間が面倒である。
（２）光コネクタアダプタに開閉自在に取り付けるための構成が複雑であり、多数の部品によって構成されるものが多く、コストが高くなる。この場合、小型化が困難であり、光コネクタアダプタの大幅な設計変更、大型化が必要となる。
（３）前記（２）のように小型化が困難なことから、光コネクタアダプタの多心化、コネクタ取付穴の高密度化、小型化に対応できない。
【０００５】
また、近年、電気、電子機器について電磁波シールド性能の要求が高まっており、筐体内部の電子部品などが外部の電磁波の影響を受けないように保護したり、機器からの電磁波の放射を防止して外部の他の電気、電子機器に電磁波の影響を与えないようにするために、導電性を有する金属製筐体など、電磁波シールド性能を有する筐体の採用が普及している。
【０００６】
ところで、図２６〜図２８に例示するように、光コネクタアダプタ１を筐体５の取付壁６に取り付けるには、光コネクタアダプタ１を挿入可能な大きさのコネクタ取付穴７を取付壁６に形成する必要がある。そのため、光コネクタアダプタ１としてはプラスチック製のものが広く用いられている。このようなプラスチック製の光コネクタアダプタ１をコネクタ取付穴７に挿入して取付壁６に取り付けた場合、筐体５が電磁波シールド性能を有するものであっても、コネクタ取付穴７の電磁波シールド性能を確保することができない。これに鑑みて、光コネクタアダプタ１の外側に導電性のカバーを取り付けることが検討されている。
【０００７】
しかしながら、例えば、この導電性のカバーを光コネクタアダプタ１のコネクタ穴２の開口部付近にまで設けることは、光コネクタアダプタ１に対する光コネクタ３の接続作業性の確保の点で事実上不可能であるため、結局、コネクタ取付穴７の電磁波シールド性を確保できない。このため、機器の筐体などの取付壁に形成されたコネクタ取付穴の電磁波シールド（遮蔽）を効果的に実現できる技術の開発が求められていた。なお、この電磁波シールドの問題も光コネクタアダプタに限定されず、例えば、光コネクタレセプタクルなど、光コネクタプラグが挿入接続される構成の各種光コネクタについても、取り付けのために取付壁にコネクタ取付穴を形成する場合に共通して生じる。
【０００８】
本発明は、前記課題に鑑みて、遮光用のシャッターの小型化、低コスト化が容易で、しかも、取り付け位置精度、取り付け安定性も確保でき、コネクタハウジングの小型化、高密度化（コネクタ取付穴の高密度化）を実現でき、また、機器の筐体などの取付壁に形成されたコネクタ取付穴に位置決めして取り付けることで、コネクタ取付穴の電磁波シールド性の確保も容易に実現できるシャッター付き光コネクタの提供を目的としている。
【０００９】
【課題を解決するための手段】
上記課題を解決するために、本発明では、光コネクタが挿入、接続されるコネクタ穴内にて前記光コネクタと被接続側光コネクタとが接続されるようになっているコネクタハウジングに、前記被接続側光コネクタから出射される光を遮光するシャッターユニットが組み込まれており、前記シャッターユニットは、前記コネクタハウジングに取り付けられる本体部と、この本体部から前記コネクタ穴に突出するようにして、前記被接続側光コネクタの先端に露出する光ファイバからの出射光を遮光可能に配置される舌片状のシャッター片とを有し、前記シャッター片は、前記コネクタハウジングに組み込まれた前記被接続側光コネクタ先端の接合端面と対面する位置に配置された遮光板部と、前記コネクタ穴に挿入した光コネクタの接合端面以外の部位によって押圧されるコネクタ当接部とを有し、前記コネクタ当接部が前記光コネクタによって押圧されることで前記コネクタ穴内への突出量を減少するように押し倒されて前記光コネクタの前記被接続側光コネクタに対する接続を可能とするようになっており、しかも、前記光コネクタが前記コネクタ当接部に当接されているときに、前記光コネクタの接合端面に対する前記遮光板部の非接触状態が維持されるようになっていることを特徴とするシャッター付き光コネクタを前記課題の解決手段とした。
【００１０】
この発明に係るシャッター付き光コネクタのコネクタハウジングは、例えば、光コネクタアダプタのように、対向する両側から挿入、接続された光コネクタプラグ同士が内部で接続される構成のものや、コネクタ穴への光コネクタプラグの挿入によって光コネクタプラグと光接続される光コネクタ（光コネクタフェルールなど）を内蔵する光コネクタレセプタクル等、光コネクタプラグが挿入、接続されるコネクタ穴を有する光コネクタである。
シャッター片は、被接続側光コネクタからの出射光を遮光できる遮光性を有するものであり、コネクタ穴の軸方向に対して傾斜させて（傾斜角度９０度も含む本体部から延出されることで、コネクタ穴内にて、コネクタハウジング内の被接続側光コネクタからの出射光を遮光可能に配置される。ただし、シャッター片は、少なくとも、被接続側光コネクタからの出射光を遮光する位置（以下、「遮光位置」とも言う。）には配置されるが、必ずしも、コネクタ穴全体を確実に塞ぐ大きさである必要はない。シャッター片を、コネクタ穴全体を塞ぐような大きさ（コネクタ穴の断面全体にわたって存在するような大きさ）とした場合は、コネクタ穴の防塵性確保の点で有利である。
【００１１】
被接続側光コネクタとは、光コネクタアダプタ（コネクタハウジング）においては、コネクタ穴への光コネクタの挿入前に、先行してコネクタ穴に挿入されている光コネクタプラグのことを指し、コネクタ穴への光コネクタの挿入によって、コネクタ穴内で光コネクタと接続される。光コネクタレセプタクル（コネクタハウジング）においては、例えば、図２４（ａ）、（ｂ）に示すように、光コネクタレセプタクル４５ａ、４５ｂのハウジング４５ｈに組み込まれてコネクタ穴４６奥側（図２４（ａ）、（ｂ）右側）に配置され、コネクタ穴４６に挿入された光コネクタ４７が接続されるようになっている部分が被接続側光コネクタである。図２４（ａ）の光コネクタレセプタクル４５ａでは、ハウジング４５ｈと別体の光コネクタ４８であるが、これに限定されず、例えば図２４（ｂ）に示す光コネクタレセプタクル４５ｂのように、ハウジング４５ｈの一部をコネクタ状に成形した部分４９（この部分４８が被接続側光コネクタ）であっても良い。なお、図２４（ａ）、（ｂ）では、シャッターユニットの本体部の図示を省略している。
【００１２】
本発明に係るシャッターユニットのシャッター片（図２４（ａ）、（ｂ）では符号４０）は、被接続側光コネクタ先端に露出する光ファイバからの出射光を遮光する遮光板部（図２４（ａ）、（ｂ）では符号４１）と、コネクタハウジングのコネクタ穴に挿入される光コネクタによって押圧されるコネクタ当接部（図２４（ａ）、（ｂ）では符号４２）とを有する構成であり、遮光板部が、被接続側光コネクタ先端に露出する光ファイバに対面するようにして配置される。コネクタハウジングのコネクタ穴に光コネクタを挿入していくと、シャッター片は、光コネクタがコネクタ当接部を押圧する押圧力によって、コネクタ穴内への突出量を減少するように押し倒されてゆき、被接続側光コネクタに対する光コネクタの接続作業の障害にならない。但し、シャッター片は、コネクタ当接部が光コネクタの接合端面（図２４（ａ）、（ｂ）では符号４７ａ）以外の部位によって押圧されるようになっており、さらに、コネクタ当接部が光コネクタと当接されているときには、光コネクタの接合端面に対する遮光板部の非接触状態が維持されるようになっている。コネクタ当接部が光コネクタと当接されているときに、光コネクタの接合端面に対する遮光板部の非接触状態が維持される構成とは、例えば、コネクタ当接部が、遮光板部に比べて、コネクタハウジングにおける光コネクタの挿入口の側（図２４（ａ）、（ｂ）では左側）に形成された突部である構成などによって実現される。
【００１３】
すなわち、シャッター片は、コネクタ穴へ挿入した光コネクタの接合端面がシャッター片の遮光板部に接触する前に、光コネクタのハウジングによってコネクタ当接部が押圧されて、光コネクタ先端の接合端面に対する遮光板部の非接触状態が維持されたまま、コネクタ穴内への突出量を減少するように押し倒されていく。このため、光コネクタがシャッター片を押し倒すようにして押し開ける際に、光コネクタの接合端面がシャッター片に接触することはなく、接合端面をシャッター片との接触による傷付き等から保護でき、光コネクタの光特性を安定に維持できる。
【００１４】
なお、本発明では、コネクタ穴から光コネクタが抜き去られたときに、シャッター片を遮光位置に復帰させる構成を採用するが、この構成としては、例えば、シャッター片自体の弾性、あるいは、シャッターユニットに設けられているバネ等の付勢部材の付勢力によって、被接続側光コネクタから出射される出射光を遮光可能な位置に復帰するようになっている構成などが採用可能である。
【００１５】
本発明では、前記コネクタハウジングに、２枚の前記シャッター片が設けられており、各シャッター片と本体部との連結位置は、コネクタハウジングのコネクタ穴の中心軸線を介して両側に位置しており、各シャッター片は前記本体部との連結位置からコネクタ穴に突出するようにして設けられて、前記コネクタ穴を塞ぐようにして重ね合わされている構成も採用可能である。この場合には、１枚のシャッター片の大きさを小さくできる。
本発明において、シャッター片は、光コネクタの押圧によるコネクタ穴内での移動（押し倒し）を可能にするために、コネクタ穴内の突起などとの干渉を回避する形状に形成される。小型のシャッター片であれば、コネクタ穴内での可動範囲の縮小が可能であり、コネクタ穴内の突起などの干渉を少なくできることから、コネクタ穴の断面全体をより確実に塞ぐ大きさに形成して、コネクタ穴内の防塵性の向上等を図る点で有利である。
なお、この構成の場合、２枚のシャッター片は、同一のシャッターユニットの本体部に設けられている構成に限定されず、２枚のシャッター片が別々のシャッターユニットの本体部によって支持されてコネクタハウジング内に設置されている構成も採用可能である。
【００１６】
【発明の実施の形態】
以下、本発明の実施の形態を、図面を参照して説明する。
【００１７】
図１（ａ）〜（ｄ）は本発明の第１実施形態のシャッター付き光コネクタ１０の外観を示す図、図２は機器の筐体１１の取付壁１２（パネル）に対するシャッター付き光コネクタ１０の取付状態を示す図であって取付壁１２に開口されたコネクタ取付穴１３付近を示す断面図、図３は図２のシャッター付き光コネクタ１０の取付壁１２に対する取付状態を筐体１１外側から見た斜視図、図４は取付壁１２に形成されたコネクタ取付穴１３を示す斜視図、図５は図２のシャッター付き光コネクタ１０の取付壁１２に対する取付状態を筐体１１内側から見た斜視図、図６はシャッター付き光コネクタ１０のシャッターユニット１５の構造を示す斜視図、図７は本発明に係るシャッター付き光コネクタ１０（コネクタハウジング１４内にシャッターユニット１５を組み込んだもの）を示す全体斜視図、図８はシャッター付き光コネクタ１０の構造を示す分解図である。
【００１８】
図８に示すように、前記シャッター付き光コネクタ１０は、光コネクタアダプタを構成するコネクタハウジング１４の内部に、シャッターユニット１５を組み込んだ構成になっている。
【００１９】
図１（ａ）〜（ｄ）において、前記コネクタハウジング１４は、ＭＰＯ形光コネクタ（ＭＰＯ：Ｍｕｌｔｉｆｉｂｅｒ  Ｐｕｓｈ−Ｏｎ。例えばＪＩＳ  Ｃ  ５９８２、ＩＥＣ  １７５４−７発行に制定されるもの）の光コネクタアダプタである。このコネクタハウジング１４は、全体がカーボンフィラーなどの電磁波吸収作用を有する微細粉を含有した導電性樹脂製であり、内部を貫通するコネクタ穴１４ａを有するスリーブ状の概略構造に形成されている。このコネクタハウジング１４は、一対のハウジング半体１４Ａ、１４Ｂを接合、一体化して組み立てられる。
【００２０】
図９に示すように、各ハウジング半体１４Ａ、１４Ｂは、例えばプラスチックなどの合成樹脂によって形成された一体成形品であり、スリーブ状のハウジング本体部１４ｂと、このハウジング本体部１４ｂの軸方向一端から対向する両側に突設された突片１４ｃとを有している。そして、コネクタハウジング１４は、一対のハウジング半体１４Ａ、１４Ｂを軸方向に直列に接合、一体化して組み立てられるようになっている。なお、図９は、シャッターユニット１５を組み込まずに、ハウジング半体１４Ａ、１４Ｂ同士を直接接合した状態を示す。
【００２１】
一対のハウジング半体１４Ａ、１４Ｂは、突片１４ｃが形成されている側の端部（ハウジング本体部１４ｂの軸方向一方の端部。以下、接合端面側の軸方向端部という場合がある）同士を接合して一体化されるようになっており、これにより、各ハウジング半体１４Ａ、１４Ｂの突片１４ｃ同士の重ね合わせによって構成された突片１４Ｃが軸方向中央部（コネクタ穴１４ａ軸方向）の対向する両側に突設されたコネクタハウジング１４が組み立てられる。
【００２２】
また、図６に示すように、一対のハウジング半体１４Ａ、１４Ｂは、突片１４ｃが形成されている側の端面（接合端面１４ｉ）に形成されている嵌合突起１４ｄと、嵌合穴１４ｅとの嵌合によって、コネクタ穴同士が連通するように位置決めして一体化される。ここでは、一対のハウジング半体１４Ａ、１４Ｂは、同様の構成であり、一方のハウジング半体１４Ａに突設されている嵌合突起１４ｄを他方のハウジング半体１４Ｂに形成されている嵌合穴（図示略）に嵌合し、他方のハウジング半体１４Ｂに突設されている嵌合突起（図示略）を一方のハウジング半体１４Ａの嵌合穴１４ｅに嵌合するようになっているが、これに限定されず、ハウジング半体１４Ａ、１４Ｂ同士を位置決めして一体化、固定する構成としては各種採用可能である。また、ハウジング半体１４Ａ、１４Ｂ同士は、適宜、ネジ、クランプなどの機械的手段や、接着剤などを用いて、一体化状態に固定する。
【００２３】
図１（ｃ）、（ｄ）、図９（ａ）、（ｂ）などにおいて、符号１４ｆは、コネクタハウジング１４内の係合爪（弾性爪）であり、コネクタハウジング１４に挿入、接続される光コネクタ１６Ａ、１６Ｂ（図３、図５参照。ここではＭＰＯ形光コネクタ（例えばＪＩＳ  Ｃ  ５９８２、ＩＥＣ  １７５４−７発行に制定されるもの）の光コネクタプラグ。以下、光コネクタ１６Ａ、１６Ｂについて共通の構成について説明する場合に、符号１６を付して説明する場合がある）のスリーブ状のハウジング１７の側部に形成されている係合部（係合凹所など。図示略）に係脱可能に係合する。
【００２４】
前記係合爪１４ｆは、ハウジング半体１４Ａ、１４Ｂのハウジング本体部１４ｂに一体に形成されており、スリーブ状のハウジング本体１４ｂ内側のコネクタ穴（ハウジング半体１４Ａ側のコネクタ穴に符号１４ａ１、ハウジング半体１４Ｂ側のコネクタ穴に符号１４ａ２を付す）に内面１４ｋからコネクタ穴内に突出されている。各ハウジング半体１４Ａ、１４Ｂの係合爪１４ｆは、ハウジング半体１４Ａ、１４Ｂの接合端面１４ｉ側の軸方向端部から、コネクタ穴１４ａ軸方向において前記接合端面１４ｉとは逆の入口側（図９（ａ）、（ｂ）において、コネクタハウジング１４の左右両端部）に向けて、ハウジング本体部１４ｂ内面に沿って延びる形状になっている。また、この係合爪１４ｆのハウジング本体部１４ｂ内面に沿って延在する部分と、ハウジング本体部１４ｂ内面との間には、若干のクリアランス１４ｍが確保されている。
【００２５】
ＭＰＯ形光コネクタの光コネクタプラグである光コネクタ１６と各ハウジング半体１４Ａ、１４Ｂとは、コネクタハウジング１４（より具体的にはハウジング半体）に光コネクタ１６を挿入すると、光コネクタ１６のハウジング１７の側部の係合部１７ｃ（図１５等参照）に、ハウジング半体の係合爪１４ｆのハウジング本体部１４ｂからの突出先端の係合突起１４ｎが係合するとともに、この係合の解除を阻止してハウジング半体から光コネクタ１６が引き抜かれないようにするロックが掛かり、光コネクタ１６に付いているスライド片（カップリング１８）を引くと、ロックを解除させながら、コネクタハウジング１４（ハウジング半体）から光コネクタ１６を抜き去ることができる、スライドロック構造を構成する。
【００２６】
なお、係合爪１４ｆは、光コネクタ１６の種類や、ハウジング１７のサイズや、係合部の形状などによって適宜変更される。
図２、図３、図５などでは係合爪１４ｆの図示を省略している。
また、符号１４ｇは、前記ハウジング１７の側部に突設されているキー１７ａが挿入されるキー溝である。
また、コネクタハウジングとしては、上述のように、光コネクタ（光コネクタプラグ）と係合する係合爪が、各ハウジング半体のハウジング本体部と一体成形されている構成に限定されず、例えば、ハウジング半体のスリーブ状のハウジング本体部とは別体のスリーブ状の内部ハウジングを収容し、この内部ハウジングに係合爪が形成されている構成なども採用可能である。
【００２７】
図６、図８、図１４に示すように、シャッターユニット１５は、一枚の金属板から曲げなどの成形によって形成された本体部５１と、この本体部５１に枢着部５２によって回転自在に取り付けられた一対のシャッター片５３Ａ、５３Ｂとを有して構成されている。また、この実施形態では、シャッターユニット１５を構成する全ての部材、すなわち、本体部５１、枢着部５２、シャッター片５３Ａ、５３Ｂは、導電性を有する部材で形成されており、互いに電気導通可能に接続されている。ここに例示する実施の形態では、本体部や、シャッター片として、導電性を有するステンレス板を成形して形成したものを例示する。
【００２８】
図１０（ａ）〜（ｃ）、図１１は本体部５１の構造を示す。
前記本体部５１は、一対のハウジング半体１４Ａ、１４Ｂの間に挟み込んで固定されるプレート状の固定板部５４と、この固定板部５４の対向する両側から、固定板部５４に対してほぼ直角となるようにして張り出された舌片状の張り出し部５５Ａ、５５Ｂとを有している。ただし、一対の張り出し部５５Ａ、５５Ｂの固定板部５４からの突出向き（張り出し方向）は、固定板部５４を介して丁度、逆向きになっている。この張り出し部５５Ａ、５５Ｂは、シャッターユニット１５を一対のハウジング半体１４Ａ、１４Ｂの間に組み込んだ時に、それぞれ、ハウジング半体１４Ａ、１４Ｂのコネクタ穴１４ａ１、１４ａ２、具体的には、コネクタ穴１４ａ１、１４ａ２の前記キー溝１４ｇの側を拡張した部分である拡張部１４ｏ（図６参照）に挿入されて、本体部５１をコネクタハウジング１４内の目的位置に位置決めする機能を果たす。なお、拡張部１４ｏは後述する位置決め溝１４ｈの一部を形成する。
【００２９】
前記本体部５１（詳細には固定板部５４）は、シャッターユニット１５を一対のハウジング半体１４Ａ、１４Ｂの間に組み込んだ時には、丁度、一対のハウジング半体１４Ａ、１４Ｂによって構成されるコネクタハウジング１４のコネクタ穴１４ａの軸方向中央部に、コネクタ穴１４ａを横切るように配置される。ただし、コネクタ穴１４ａは、この本体部５１の固定板部５４の中央部に形成されている窓５６を介して本体部５１（詳細には固定板部５４）の両側に連通されており、本体部５１の固定板部５４が、コネクタ穴１４ａに対向する両側から挿入して接続される光コネクタ１６Ａ、１６Ｂ同士の接続の邪魔にならないようになっている。
【００３０】
このシャッター付き光コネクタ１０では、コネクタ穴１４ａに挿入される光コネクタ１６Ａ、１６Ｂのフェルール１９が、シャッターユニット１５の本体部５１の窓５６（図１５参照）に挿入可能であり、コネクタ穴１４ａに対向する両側から挿入された光コネクタ１６Ａ、１６Ｂの先端同士（具体的にはフェルール１９同士）が、丁度、前記本体部５１の固定板部５４付近で突き合わせ接続されるようになっている。
【００３１】
なお、前記本体部５１は、電磁波シールド性（後に詳述）の確保の点では、前記窓５６を出来る限り小さくすることがより好ましく、この実施形態の例では、少なくとも、各光コネクタ１６Ａ、１６Ｂ先端のフェルール１９が通過可能な大きさが確保されていれば、光コネクタ１６Ａ、１６Ｂ同士の接続の障害にはならない。窓５６はフェルール１９外形よりも僅かに大きい寸法に形成されている。
【００３２】
また、この本体部５１並びにその固定板部５４は、ハウジング半体１４Ａ、１４Ｂのハウジング本体部１４ｂの断面形状とほぼ一致する大きさに形成されており、シャッター付き光コネクタ１０のコネクタハウジング１４を前記取付壁１２に取り付けたときには、前記コネクタ取付穴１３のほぼ全体を塞ぐように配置され、電磁波シールド性能を発揮する遮蔽板としての機能を果たす（電磁波シールド性能については後に詳述する）。
【００３３】
本体部５１は、その固定板部５４を、ハウジング半体１４Ａ、１４Ｂの接合端面１４ｉに設けられた図示略の複数箇所の位置決め突起の間に押さえ込むことにより固定され、確実に位置決めして、一対のハウジング半体１４Ａ、１４Ｂの間にて正確かつ安定に固定される。なお、ハウジング半体１４Ａ、１４Ｂ間にて、本体部５１（詳細には固定板部５４）をガタ付くことなく安定に位置決めして固定する手段としては、これに限定されず、例えば、固定板部５４を貫通して開口されている位置決め孔を設け、ハウジング半体１４Ａ、１４Ｂの接合端面１４ｉに形成されている嵌合突起１４ｄを、この位置決め孔に貫通させて、相手側のハウジング半体の接合端面の嵌合穴１４ｅに嵌合固定する構成など、各種構成が採用可能である。
【００３４】
前記枢着部５２は、ここでは、張り出し部５５Ａ、５５Ｂの固定板部５４からの突出先端に取り付けられた軸であり、シャッターユニット１５を一対のハウジング半体１４Ａ、１４Ｂの間に組み込んだ時には、丁度、コネクタハウジング１４のコネクタ穴１４ａの軸方向にほぼ直交する向きに配置される。したがって、この軸（枢着部５２）によって本体部５１に対して回転自在に枢着されるシャッター片５３Ａ、５３Ｂは、枢着部５２である軸（以下、枢着部５２を軸５２ともいう）と同じ向き、すなわち、コネクタハウジング１４のコネクタ穴１４ａに対してほぼ直交する回転軸線をもって回転自在に支持される。この軸５２は、張り出し部５５Ａ、５５Ｂ先端を筒状に湾曲成形した部分（軸保持部５５ａ）の内側に収納保持されている。
【００３５】
ところで、図６に示すように、前記軸５２の両端は、張り出し部５５Ａ、５５Ｂの両側へ突出されており、張り出し部５５Ａ、５５Ｂをハウジング半体１４Ａ、１４Ｂ内に収納するにあたり、ハウジング半体１４Ａ、１４Ｂのコネクタ穴（一方のハウジング半体１４Ａのコネクタ穴については１４ａ１を付している）の一側部（ここではキー溝１４ｇの側）を拡張した形状の位置決め溝１４ｈに挿入することで、ハウジング半体１４Ａ、１４Ｂに対して、本体部５１をぐらつかないように安定支持させる機能を果たす。
【００３６】
より詳しく説明すると、前記位置決め溝１４ｈは、ハウジング半体１４Ａ、１４Ｂのコネクタ穴の一側部（キー溝１４ｇの側）を、軸５２の外形とほぼ一致する形状に拡張するようにして、ハウジング半体１４Ａ、１４Ｂの接合端面１４ｉから前記コネクタ穴の軸方向とほぼ平行に延在する溝状に形成されている。また、この位置決め溝１４ｈは、軸５２の両端が挿入される部分が、丁度、ハウジング半体１４Ａ、１４Ｂにおいて、コネクタ穴の対向する両側の壁部に切り込まれたガイド溝状になっている。したがって、軸５２は、張り出し部５５Ａ、５５Ｂの両側に突出する両端を、それぞれ、軸５２の外形とほぼ一致する断面細長の位置決め溝１４ｈの断面両端に挿入して、ハウジング半体１４Ａ、１４Ｂ内に収納されるため、本体部５１並びにシャッターユニット１５全体をぐらつかないように安定支持する機能を果たす。
【００３７】
但し、位置決め溝１４ｈは、各ハウジング半体１４Ａ、１４Ｂをコネクタ穴の軸方向に貫通して形成されている訳ではなく、各ハウジング半体１４Ａ、１４Ｂにおける光コネクタ１６の挿入口の側の端部（ハウジング半体１４Ａについては図１４左側、ハウジング半体１４Ａについては図１４右側）にて、ハウジング半体１４Ａ、１４Ｂのコネクタ穴内面から突設された壁部１４ｊ（図９（ｂ）、図１４等参照。突壁）が、位置決め溝１４ｈの最奥（接合端面１４ｉから見て、最も奥側）を塞ぐ壁部として機能している。この壁部１４ｊは、ハウジング半体１４Ａ、１４Ｂに挿入された光コネクタ１６のハウジング１７を支持してぐらつきを防止する機能を果たす。また、図７、図１４等に示すように、ハウジング半体１４Ａ、１４Ｂのキー溝１４ｇは、前記壁部１４ｊに形成されている。
なお、ハウジング半体１４Ａ、１４Ｂのキー溝１４ｇの位置は、ハウジング半体１４Ａ、１４Ｂ間で相対的に逆側になっている。
【００３８】
前記位置決め溝１４ｈには、シャッターユニット１５の各張り出し部５５を収納するための部分（前述の拡張部１４ｏ）と、軸５２の張り出し部５５からの突出部が挿入される部分とがある。コネクタハウジング１４内へのシャッターユニット１５の組み込みを完了すると、シャッターユニット１５の本体部５１の両張り出し部５５Ａ、５５Ｂ先端の軸５２が、それぞれ、各ハウジング半体１４Ａ、１４Ｂの位置決め溝１４ｈの最奥を塞ぐ壁部１４ｊ（図９（ｂ）、図１４等参照）によって両側から挟み込まれるようにして保持されて、コネクタハウジング１４内でがたつかないように安定収納される。
なお、張り出し部５５Ａ、５５Ｂは、固定板部５４からの突出向きが異なるのみであり、以下、張り出し部５５Ａ、５５Ｂに共通の構成をいう場合に、符号５５を付して説明する場合がある。
【００３９】
シャッターユニット１５では、前記本体部５１を介して両側に対向配置されている各シャッター片５３Ａ、５３Ｂと本体部５１との連結位置（ここでは軸５２の位置）が、本体部５１を介して両側に対向し、かつ、コネクタハウジング１４のコネクタ穴１４ａの中心軸線を介して両側（換言すれば、本体部５１の窓５６を貫通する軸線を介して両側）となるところに位置している。
シャッターユニット１５の各張り出し部５５は、丁度、各ハウジング半体１４Ａ、１４Ｂの前記位置決め溝１４ｈの内の拡張部１４ｏに挿入収納され、また、軸５２の張り出し部５５両側に突出した部分が、各ハウジング半体１４Ａ、１４Ｂの前記位置決め溝１４ｈの前記拡張部１４ｏの両側に延出して、ハウジング半体１４Ａ、１４Ｂの両側の壁部に切り込まれた溝状部分に収納される。
【００４０】
このシャッター付き光コネクタ１０は、コネクタハウジング１４にシャッターユニット１５を組み込んで組み立てても、シャッターユニット１５を組み込んでいない光コネクタアダプタに比べて大型化せず、シャッターユニット１５を組み込んでいない光コネクタアダプタと同じ外形サイズとすることができる。
【００４１】
シャッター片５３Ａ、５３Ｂは、シャッターユニット１５の本体部５１から前記コネクタ穴１４ａに突出する舌片状の小板片である。なお、このシャッター片５３Ａ、５３Ｂは、シャッターユニット１５の本体部５１に対する取り付け向きが異なるのみで、他の具体的構成は同様であり、以下、これらシャッター片５３Ａ、５３Ｂについて共通の構成をいう場合には、符号５３を付して説明する場合がある。
【００４２】
図１３（ａ）に示すように、シャッター片５３は、一枚の金属板（ここでは導電性金属板であり、具体的にはステンレス板）を曲げ成形したものであり、軸５２に枢着される側（軸保持部５３ｂが突設されている側）の端部付近に屈折部５７、コネクタ当接部５８、軸保持部５３ｂ、ストッパ５３ｃが形成されている。また、符号５９の遮光板部は、該シャッター片５３Ａが遮光位置（図８に示すシャッター片５３Ａの位置。図１４に実線で示すシャッター片５３Ａの位置）にあるときに、被接続側光コネクタ１６Ｂのフェルール１９の接合端面１９ｂに対面する位置に配置されて、前記光コネクタ１６Ｂのフェルール１９の接合端面１９ｂに露出する光ファイバ１９ａ（図１（ｂ）、図１６参照）からの出射光が、コネクタ穴１４ａの反対側の開口部から飛び出ないように遮光する機能を果たす。
なお、上述とは逆に、符号１６Ａの光コネクタを被接続側光コネクタとした場合、遮光位置にあるシャッター片５３Ｂ（図８に示す位置のシャッター片５３Ｂ）の遮光板部５９は、コネクタ穴１４ａに挿入してコネクタハウジング１４と接続されている光コネクタ１６Ａのフェルール１９の接合端面１９ｂと対面する位置に配置されて、フェルール１９の接合端面１９ｂに露出する光ファイバ１９ａ（図１（ｄ）参照）からの出射光を遮光する。
【００４３】
遮光板部５９は平板状であり、シャッター片５３において、該シャッター片５３の軸５２に対する枢着部（ここでは軸保持部５３ｂ）に対して、屈折部５７およびコネクタ当接部５８を介して対向する側にある。また、遮光板部５９は、屈折部５７を介してコネクタ当接部５８に対して対向する位置にある。遮光板部５９とコネクタ当接部５８とは、シャッター片５３を形成する金属板が屈折部５７の対向する両側にて折り曲げられた角部５７ａ、５７ｂを介して屈折部５７と連続しており、しかも、相対的に逆向きとなるように屈折部５７の対向する両側から延出している。
遮光板部５９は、シャッター片５３が図８等に示した遮光位置にあるときに、コネクタ当接部５８よりも被接続側光コネクタの側にずれた位置に配置されるようになっている。コネクタ当接部５８は、遮光板部５９に対して、コネクタハウジング１４における光コネクタ１６Ａの挿入口（この実施の形態においては、コネクタ穴１４ａの軸方向両端の開口部の内、図９（ａ）、（ｂ）において左側、図１４において左側に位置するもの）の側に張り出すように形成された突部になっている。
【００４４】
各シャッター片５３Ａ、５３Ｂは前記本体部５１との連結位置（軸５２）からコネクタ穴１４ａに突出するようにして設けられており（遮光位置）、そのコネクタ当接部５８がコネクタ穴１４ａに挿入された光コネクタ１６のハウジング１７の先端部１７ｂによって押圧されると、押し倒されて、待避位置（後述）に至る。コネクタ穴１４ａから光コネクタ１６が引き抜かれると、シャッター片５３Ａ、５３Ｂは、軸５２付近に設けられたバネ６０（図１２参照。ここではトーションバネ）の付勢力によって遮光位置に復帰する。なお、光コネクタ１６によるシャッター片５３の待避位置への押し倒しは、バネ６０の付勢力に抗して、バネ６０を弾性変形させつつ実現される。
待避位置から遮光位置にシャッター片を押し戻すために、シャッターユニット１５に組み込む付勢部材としては、前記バネ６０に限定されず、例えば、本体部５１の一部を板バネ状に成形、加工した部分なども採用可能である。
【００４５】
各シャッター片５３は、軸５２側の端部付近を筒状に曲げ加工して軸５２を収納する軸保持部５３ｂと、軸５２側の端部付近を屈曲成形したストッパ当接部５３ｃとを有している。図１４に示すように、シャッター片５３は、軸５２を中心とする回転によって、軸５２から固定板部５４側に向けて斜めに若干傾斜する姿勢（図８実線に示すシャッター片５３Ａ、５３Ｂの位置。図１４実線で示すシャッター片５３Ａの位置。この位置が「遮光位置」）と、張り出し部５５Ａ、５５Ｂとほぼ重ね合わされる姿勢（図１４中想像線で示すシャッター片５３Ａの位置、図１４中実線で示すシャッター片５３Ｂの位置。以下、この位置が「待避位置」）とを切り替えることができる。
【００４６】
ただし、図１２に示すように、シャッター片５３は、遮光位置（図１２実線で示す位置）では、前記ストッパ当接部５３ｃが張り出し部５５の突出先端部の表面に突き当たることで、固定板部５４に対する逆側、つまり、シャッター片５３Ａについては図１２反時計回りへのそれ以上の回転が規制される。このことは、シャッター片５３Ｂについても同様である（シャッター片５３Ｂについては、図８実線で示す遮光位置から時計回りの回転が規制される）。張り出し部５５の固定板部５４からの突出先端部は、遮光位置から固定板部５４に対する逆側へのシャッター片５３の回転を規制するストッパ５５ｂとして機能する。
【００４７】
なお、遮光位置にあるシャッター片５３は、ほぼコネクタ穴１４ａ全体（コネクタ穴１４ａの断面方向ほぼ全体）を塞ぐため、この状態では、例えば、図１４に示すように、コネクタ穴１４ａの片側の開口部から先行して挿入接続された光コネクタ１６Ｂ先端（詳細には光コネクタ１６先端の接合端面１９ｂ。この光コネクタ１６Ｂを被接続側光コネクタとする）に露出する光ファイバ（図１（ｂ）、図１６の符号１９ａ参照）からの出射光が、コネクタ穴１４ａの反対側の開口部から飛び出ることを防止できる。
【００４８】
また、遮光位置にあるシャッター片５３は、コネクタ穴１４ａにおける前記シャッター片５３と被接続側光コネクタ１６Ｂとの間に位置する区間への埃などの侵入を防止する防塵性を発揮するため、被接続側光コネクタ１６Ｂ先端が埃などの付着によって汚染されるなどの不都合を防止できる。
なお、コネクタハウジング１４に、光コネクタ１６Ａ、１６Ｂのいずれも接続していないとき、シャッターユニット１５の一対のシャッター片５３がいずれも遮光位置にあれば、各シャッター片５３が防塵シャッターとしての機能を果たして、コネクタ穴１４ａの内、一対のシャッター片５３の間の区間への埃などの侵入を防止でき、この区間の清浄を維持できる。
【００４９】
上述したシャッター付き光コネクタ１０であれば、コネクタハウジング１４のコネクタ穴１４ａ内にて光コネクタ１６Ａ、１６Ｂ同士を接続する場合、どちらか一方の光コネクタのみを先行してコネクタハウジング１４に挿入した後（先行して挿入した光コネクタが被接続側光コネクタ）、他方の光コネクタをコネクタハウジング１４に挿入接続する手順であっても、先行してコネクタハウジング１４に挿入されている光コネクタ先端からの出射光（具体的には光コネクタ１６先端の接合端面１９ｂに露出する光ファイバ１９ａからの出射光。以下、この出射光を「光コネクタ先端からの出射光」と略称する場合がある）がシャッターユニット１５のシャッター片５３によって遮光されて、コネクタ穴１４ａから飛び出すことが防止されるため、後からコネクタハウジング１４に挿入して被接続側光コネクタに対して接続する光コネクタのコネクタ穴１４ａへの挿入、接続作業の際に、被接続側光コネクタからの出射光が邪魔になるといった不都合が無く、接続作業を効率良く行える。
【００５０】
また、このシャッター付き光コネクタ１０では、コネクタ穴１４ａへ光コネクタを挿入していけば、この光コネクタによってシャッター片５３を押圧することで、該シャッター片５３を前記コネクタ穴１４ａ内への突出量を減少するように押し倒して、光コネクタを押し込むことができる。シャッター片５３は、光コネクタの挿入には何等支障は無いものであり、コネクタ穴１４ａの両側から挿入された光コネクタ１６Ａ、１６Ｂは、それぞれ、シャッター片５３を押し倒して、一対のシャッター片５３Ａ、５３Ｂの間の領域に進入させて、接続作業を行うことができる。また、前記コネクタ穴１４ａから前記光コネクタを抜き去ると、シャッター片５３が、付勢部材（バネ６０）の付勢力によって前記出射光を遮光可能な位置（前述の遮光位置）に復帰する。
なお、遮光位置にあるシャッター片５３は、付勢部材（バネ６０）の付勢力によって、ストッパ当接部５３ｃが、張り出し部５５の固定板部５４からの突出先端部のストッパ５５ｂに押し付けられるようになり、ぐらつかないように保持される。
【００５１】
光コネクタ１６をコネクタ穴１４ａに挿入していくと、フェルール１９の接合端面１９ｂ以外、具体的には、ハウジング１７の先端部１７ｂが、シャッター片５３のコネクタ当接部５８を押圧することで、シャッター片５３が押し倒されるが、遮光板部５９がコネクタ当接部５８に比べて、光コネクタ１６による押し倒し方向前方にシフトして位置しているシャッター片５３の構造によって、光コネクタ１６によるシャッター片５３の押し倒しは、光コネクタ１６先端の接合端面１９ｂがシャッター片５３に接触しない状態を維持したまま、待避位置に至るようになっている。
【００５２】
図１４に示すように、コネクタ穴１４ａに挿入されてきた光コネクタ１６（ここでは、図１４において符号１６Ａの光コネクタを指す）のハウジング先端部１７ｂが、遮光位置にあるシャッター片５３（ここでは、図１４において符号５３Ａのシャッター片を指す）のコネクタ当接部５８に当接したときに、シャッター片５３Ａの遮光板部５９と、光コネクタ１６Ａのフェルール１９との間にはクリアランスが確保されるようになっている。つまり、コネクタ当接部５８における光コネクタ１６Ａのハウジング先端部１７ｂの当接位置に対して、遮光板部５９における光コネクタ１６Ａのフェルール１９の接合端面１９ｂとの対面位置は、光コネクタ１６による押し倒し方向前方へのシフト量Ｓ１（遮光位置においては、コネクタハウジング１４のコネクタ穴１４ａの軸線方向に沿った方向でのズレ寸法）が、光コネクタ１６Ａのハウジング先端部１７ａからのフェルール１９の突出寸法Ｓ２よりも大きく設定されている。
【００５３】
遮光板部５９は、コネクタ当接部５８に比べてシャッター片５３の回転中心（軸５２）から距離が遠いため、コネクタハウジング１４への光コネクタ１６Ａの押し込みを継続すると、光コネクタ１６Ａの押し込みに伴うコネクタ当接部５８の回転移動距離よりも遮光板部５９の回転移動距離の方が大きく、結局、光コネクタ１６Ａを押し込んでいくに伴い、遮光板部５９がフェルール１９からの距離を次第に増大させるようにして、光コネクタ１６Ａ先端の接合端面１９ｂがシャッター片５３Ａに接触しない状態を維持したまま、シャッター片５３Ａが待避位置に至る。このため、光コネクタ１６先端の接合端面１９ｂがシャッター片５３に接触することがないから、接合端面１９ｂを傷付けるといった不都合を確実に防止でき、光コネクタ１６の光特性を安定に維持できる。
コネクタハウジング１４から光コネクタ１６を抜き去る作業においても、遮光板部５９と接合端面１９ｂとの間の非接触状態は確実に維持される。
【００５４】
また、このように、コネクタ当接部５８（詳細には、コネクタ当接部５８における光コネクタ１６Ａのハウジング先端部１７ｂの当接位置）に対する遮光板部５９（詳細には、遮光板部５９における光コネクタ１６Ａのフェルール１９の接合端面１９ｂとの対面位置）の、光コネクタ１６によるシャッター片５３Ａの押し倒し方向前方へのシフト量Ｓ１が、光コネクタ１６Ａのハウジング先端部１７ａからのフェルール１９の突出寸法Ｓ２よりも大きく確保されていれば、光コネクタ１６Ａのハウジング先端部１７ａがシャッター片５３Ａを押圧することによるシャッター片５３Ａの押し倒しは、前記シフト量Ｓ１が前記突出寸法Ｓ２よりも小さい場合に比べて、コネクタハウジング１４に対して光コネクタ１６Ａを深く挿入したところで開始される。つまり、本発明に係るシャッター付き光コネクタは、コネクタ穴１４ａが光コネクタ１６Ａによって塞がれた状態で、光コネクタ１６Ａによるシャッター片５３Ａの押し倒しが進行するように構成できるため、これにより、コネクタ穴１４ａの防塵性を向上できる利点がある。しかも、このシャッター付き光コネクタ１０では、光コネクタ１６Ａによるシャッター片５３Ａの押し倒しによって、シャッター片５３Ａが被接続側光コネクタ１６Ｂ先端からの出射光を遮光できないところまで回転変位したときには、コネクタハウジング１４に対する光コネクタ１６Ａの挿入が、前記シフト量Ｓ１が前記突出寸法Ｓ２よりも小さい場合に比べて深い（つまり、被接続側光コネクタ１６Ｂからの距離が近い）ところに達するため、光コネクタ１６Ａ自体によって、被接続側光コネクタ１６Ｂ先端からの出射光を確実に遮光することができ、コネクタハウジング１４に対する光コネクタ１６Ａの挿入、接続の作業途中でも、コネクタ穴１４ａから出射光が飛び出ることを確実に防止できる。
【００５５】
なお、シャッター片としては、コネクタ当接部に対する遮光板部のシフト量（前述のＳ１）が、遮光板部５９と接合端面１９ｂとの間の非接触状態を維持できる大きさに確保できる構成であればよく、前述の図１３（ａ）に例示したものに限定されない。例えば、図１３（ｂ）に示すシャッター片５３１のように、遮光板部を兼ねる一枚のプレート状のシャッター片本体５３１ａに、突起状のコネクタ当接部５８ａを突設した構成も採用可能である。このシャッター片５３１も、コネクタ当接部５８ａを含んで、全体が一枚の金属板から折り曲げ成形されたものであることが好ましい。また、コネクタ当接部５８ａの位置は、シャッター片本体５３１ａにおいて、コネクタハウジング１４への挿入によって該シャッター片５３１を押し倒す光コネクタ１６の接合端面１９ｂと対面する位置以外であれば良く、特に限定は無い。
【００５６】
図１４に示すように、この実施の形態では、ハウジング半体１４Ａ、１４Ｂのコネクタ穴をキー溝１４ｇ側に拡張した形状の位置決め溝１４ｈを有するコネクタハウジング１４を例示したが、これに限定されず、例えば、位置決め溝１４ｈを、各ハウジング半体１４Ａ、１４Ｂのコネクタ穴をキー溝１４ｇ側に拡張した形状に形成することも可能である。この場合は、各ハウジング半体１４Ａ、１４Ｂのキー溝１４ｇを、コネクタハウジング１４の中央部付近まで延長することができ、ハウジング半体１４Ａ、１４Ｂに挿入した光コネクタ１６のキーの挿入によって、光コネクタ１６の位置決め安定性を向上せしめることができる。
この場合は、例えば、図１３（ｃ）に示すように、シャッター片（符号５３２）としても、コネクタ穴１４ａ内に突出される部分の先端に、ハウジング半体１４Ａ、１４Ｂのキー溝１４ｇに挿入可能な突片５３ａを突設した形状のものを採用することが、コネクタ穴内の防塵性の確保の点で好ましい。
図１３（ｃ）に示したシャッター片５３２は、図１３（ａ）に例示したシャッター片５３のコネクタ穴１４ａ内に突出される部分の先端に突片５３ａを突設したものであり、シャッター片５３に代えてシャッターユニット１５の本体部５１に取り付けてコネクタハウジング１４に組み込むことができる。
【００５７】
（コネクタ取付穴の電磁波シールドについて）
コネクタ取付穴１３の電磁波シールド性の確保の点では、コネクタハウジング１４自体を、電磁波シールド機能を有するものとすることが好ましく、この実施の形態では、電磁波吸収作用を有する微細粉を成形樹脂中に混入分散した合成樹脂によって形成したコネクタハウジング１４（あるいはハウジング半体）の採用しており、具体的には電磁波吸収作用を有する微細粉としてカーボンフィラーを用いている。電磁波吸収作用を有する微細粉としては、カーボンフィラーに限定されず、各種材料が採用可能である。また、これに限定されず、例えば合成樹脂などからなる基材に導電性の塗料（例えば、電磁波吸収作用を持つ磁性金属粉を混入したペーストなど）を塗布して形成した導電性塗膜を有するもの、導電性繊維（金属繊維など）からなる導電性布帛を固定したものなども採用可能である。
【００５８】
このように、電磁波シールド性能を有するコネクタハウジング１４は、例えば図２に示すように、電磁波シールド性能を有する筐体１１（取付壁１２を含む）に取り付けて筐体１１との電気導通を確保するなど、グランド用の導電性部材との接触等によって電気導通を確保するだけで、簡単にグランドを確保できる。さらに、このコネクタハウジング１４を介して、電磁波シールド性能を有するシャッターユニット１５のグランドをも簡単に確保できるといった利点もある。この場合、別途、シャッターユニット１５のグランド用の接続回路等をシャッター付き光コネクタ１０に設ける必要が無くなるため、シャッター付き光コネクタの低コスト化に寄与する。
なお、シャッターユニット１５に、コネクタハウジング１４の外側に突出する通電用コンタクトを突設して、筐体１１の取付壁１２等のグランド用の導電性部材と接続することも併用可能であることは言うまでも無い。通電用コンタクトとしては、シャッターユニット１５に別途接続する別部材であってもよいが、シャッターユニット１５の本体部５１を構成する金属板の前記本体部５１からの延出部分などであっても良い。
【００５９】
ここで、筐体１１（取付壁１２を含む）は電磁波シールド性能を有するものであり、例えばステンレスなどの導電性の金属板から形成したものや、板材などの基材に導電性の塗料（例えば、電磁波吸収作用を持つ磁性金属粉を混入したペーストなど）を塗布して形成した導電性塗膜やフィルムの貼着などによって導電層が設けられているもの（この場合は、筐体を形成する材質に限定はない）、導電性繊維（金属繊維など）からなる導電性布帛を板材に固定したものなどが採用可能である。
コネクタハウジング１４自体の筐体１１との接触、あるいは、通電用コンタクトの筐体１１への接触によって、シャッターユニット１５を、コネクタハウジング１４または通電用コンタクトを介して筐体１１と電気導通可能に接続して、筐体１１をグランドとして機能させることにより、シャッターユニット１５によるコネクタ取付穴１３の電磁波シールド性能が良好に確保される。
【００６０】
また、図２中、符号２０で示すシールドカバーは、ハウジング半体１４Ｂの断面長方形状のハウジング本体部１４ｂ（図１（ｃ）参照）の４側面（周面）の内の３面に対して個別に装着される３つの側板部２０ａ、２０ｂ、２０ｃを有し、全体がステンレスなどの導電性の金属板で形成され、ハウジング半体１４Ｂを３方から取り囲むカバー状の部材である。このシールドカバー２０の３つの側板部２０ａ、２０ｂ、２０ｃは、ハウジング本体部１４ｂの３面に形成されている浅溝１４ｐ（図８、図９参照）に収納するようにして、ハウジング本体部１４ｂの外側に、位置ズレを生じないようにして装着される。
【００６１】
このシールドカバー２０の対向する両側に位置する側板部２０ｂ、２０ｃから外側に突出された係止爪２０ｄは、図２などに示すように、このシャッター付き光コネクタ１０を取付壁１２のコネクタ取付穴１３に挿入したときに、コネクタ取付穴１３の周囲の取付壁１２に係合して、取付壁１２からのシャッター付き光コネクタ１０の離脱を防止する機能を果たすとともに、筐体１１との接触によって電気導通可能に接続されて、シールドカバー２０の電磁波シールド性能を発揮する。また、電磁波シールド性を有するコネクタハウジング１４と取付壁１２との電気導通のより確実な確保に寄与する。
この係止爪２０ｄは、側板部２０ｂ、２０ｃの一部を外側に突出するように成形した部分であり、ハウジング半体１４Ｂの接合端面１４ｉから遠い側から、接合端面１４ｉ側に行くにしたがって、ハウジング半体１４Ｂ外側への突出量が次第に増大するように形成されている。
【００６２】
このシャッター付き光コネクタ１０を取付壁１２に取り付けるには、このシャッター付き光コネクタ１０を筐体１１の外側（図２中、取付壁１２の左側）から、シールドカバー２０が取り付けられている側（ここではハウジング半体１４Ｂの側）を押し込み方向前側として取付壁１２のコネクタ取付穴１３に押し込む（図２中、取付壁１２の右側へ向けて押し込む）。コネクタ取付穴１３は、シャッター付き光コネクタ１０のシールドカバー２０装着部分の外形にほぼ一致する形状に形成されており、コネクタ取付穴１３へのシャッター付き光コネクタ１０の押し込みの進行に伴って、シールドカバー２０の係止爪２０ｄが、コネクタ取付穴１３内壁面との当接によって弾性変形されてコネクタハウジング１４側に押し込まれた後、取付壁１２を通過したところで自身の弾性によって突出状態を復元して、筐体１１内側から取付壁１２に係合する。これにより、係止爪２０ｄと突片１４ｃとの間に取付壁１２が挟み込まれて、シャッター付き光コネクタ１０が取付壁１２に対して安定に取り付けられる。このとき、取付壁１２に対する係止爪２０ｄの係合を解除しない限り取付壁１２からのシャッター付き光コネクタ１０の離脱が不可能であり、不用意な引き抜きなどを防止できる。
【００６３】
この実施形態の筐体１１は、導電性を有する部分（グランド用導電体）が少なくとも取付壁１２の内面側の係止爪２０ｄが当接される箇所に露出されているものであり、この筐体１１の取付壁１２に係止爪２０ｄが係止されると、この係止爪２０ｄを介してコネクタハウジング１４と筐体１１のグランド用導電体部分とが電気導通可能に接続され、シャッターユニット２０のグランドが確保される。
【００６４】
このシャッター付き光コネクタ１０が取付壁１２に取り付けられると、取付壁１２のコネクタ取付穴１３がシャッター付き光コネクタ１０によってほぼ隙間無く塞がれた状態となる。このとき、シャッターユニット１５の本体部５１（詳細には固定板部５４）がコネクタ取付穴１３の周囲に配置され、これにより、コネクタ取付穴１３のほぼ全体を塞ぐように配置されたシャッターユニット１５によって、コネクタ取付穴１３を効果的に電磁波シールドすることができる。
【００６５】
（他の態様）
図１７、図１８は、一枚の金属板（ステンレスなど）を加工して形成したシャッターユニット３０を適用したシャッター付き光コネクタの例を示す。このシャッターユニット３０は、本体部５１（固定板部５４を含む）と、シャッター片５３Ａ、５３Ｂとを含む全体を一枚の金属板によって形成した１部品になっている。この構成であれば、部品点数が少なく、低コスト化できる利点がある。また、小型化も容易である利点がある。
【００６６】
前述したシャッター付き光コネクタによれば、シャッターユニット３０をコネクタハウジング内に組み込んだシャッターユニット３０は、本体部５１の対向する両側にシャッター片５３Ａ、５３Ｂを有しているので、コネクタハウジング１４の対向する両側から挿入してコネクタ穴１４ａ内で接続される一対の光コネクタ１６Ａ、１６Ｂの内のどちらが被接続側光コネクタであっても、同様に遮光の効果が得られる。
【００６７】
（第２実施形態）
図１９は本発明の第２実施形態のシャッター付き光コネクタ１００を示す断面図、図２０は断面斜視図である。
図１９、図２０に示すように、前記シャッター付き光コネクタ１００は、光コネクタアダプタを構成するコネクタハウジング１０４の内部に、シャッターユニット１０５と、スペーサ１０６とを組み込んだ構成になっている。
【００６８】
図１９、図２０において、前記コネクタハウジング１０４は、大きさの異なる一対のハウジング半体１０４Ａ、１０４Ｂを接合、一体化したものであり、内部を貫通するコネクタ穴１０４ａを有するスリーブ状の概略構造に形成されている。このコネクタハウジング１０４は、対向する両側からコネクタ穴１０４ａに挿入された光コネクタ１６Ａ、１６Ｂが、コネクタ穴１０４ａの中央部で接続されるようになっており、各ハウジング半体１０４Ａ、１０４Ｂの内部には、光コネクタ１６Ａ、１６Ｂと係脱可能に係合する係合爪１０４ｆが形成されている。これら、係合爪は、前述した第１実施形態のシャッター付き光コネクタ１０のコネクタハウジング１４内に形成されている係合爪１４ｆ（図７等参照）と同様に、ＭＰＯ形光コネクタ（ＭＰＯ：Ｍｕｌｔｉｆｉｂｅｒ  Ｐｕｓｈ−Ｏｎ。例えばＪＩＳ  Ｃ  ５９８２、ＩＥＣ  １７５４−７発行に制定されるもの）の光コネクタプラグである光コネクタ１６のハウジング１７側部の係合部１７ｃに係脱可能に係合してスライドロック機構を構成するものである。なお、係合爪は、光コネクタ１６の種類や、ハウジング１７のサイズや、係合部の形状などによって適宜変更される。
【００６９】
各ハウジング半体１０４Ａ、１０４Ｂは、プラスチックなどの合成樹脂によって形成された一体成形品であるが、ここでは、全体がカーボンフィラーなどの電磁波吸収作用を有する微細粉を含有した導電性樹脂による一体成形品を採用している。スリーブ状のハウジング本体部１０４ｂ（ハウジング半体１０４Ａ側のハウジング本体部に符号１０４ｂ１、ハウジング半体１０４Ｂ側のハウジング本体部に符号１０４ｂ２を付す）を有している。そして、コネクタハウジング１０４は、一対のハウジング半体１０４Ａ、１０４Ｂを軸方向（コネクタ穴１０４ａ１、１０４ａ２の軸方向）に直列に接合、一体化して組み立てられるようになっている。これにより、コネクタ穴１０４ａ１、１０４ａ２が連続して、コネクタハウジング１０４のコネクタ穴１０４ａが形成される。
【００７０】
一方のハウジング半体１０４Ａは、他方のハウジング半体１０４Ｂよりも大き目に作られており、ハウジング半体１０４Ａの光コネクタ１６Ａの挿入口（図１９左側）とは反対側の端部に形成されている嵌合凹部１０４ｃに、ハウジング半体１０４Ｂの光コネクタ１６Ｂが挿入される側の端部と反対側の端部１０４ｄが嵌合されて一体化されるようになっている。
図２１（ａ）〜（ｃ）に示すように、嵌合凹部１０４ｃは、ハウジング半体１０４Ａのハウジング半体１０４Ｂとの接合端面１０４ｉの対向する両側に平行に突設された一対の突条１０４ｋの間の凹部である。この嵌合凹所１０４ｃにハウジング半体１０４Ｂの端部１０４ｄを嵌合し、位置決め治具等を用いて位置決めして、熱溶着、あるいは接着剤による接着等によって、ハウジング半体１０４Ａに固定する。
【００７１】
なお、ハウジング半体１０４Ａ、１０４Ｂ同士を位置決めして一体化、固定する構成としてはネジ留め等の機械的固定など、各種採用可能である。また、一方のハウジング半体１０４Ａ、１０４Ｂの接合端面１０４ｉに形成した嵌合突起と嵌合穴とによって、ハウジング半体１０４Ａ、１０４Ｂ間の位置決めを行って、両ハウジング半体１０４Ａ、１０４Ｂを固定する構成も採用可能であることは言うまでもない。
また、ここでは、コネクタハウジング１０４としては、大きさの異なる一対のハウジング半体１０４Ａ、１０４Ｂを組み合わせたものを示したが、これに限定されず、一対のハウジング半体１０４Ａ、１０４Ｂを同様の構成とし、接合、一体化して組み立てられたものであってもよい。
【００７２】
また、各ハウジング半体１０４Ａ、１０４Ｂの内部には、前記ハウジング１７の側部に突設されているキー１７ａが挿入されるキー溝１０４ｅが形成されている。このキー溝１０４ｅの形成位置は、両ハウジング半体１０４Ａ、１０４Ｂで相対的に逆向きになっている。
【００７３】
図２２に示すように、シャッターユニット１０５は、一枚の金属板から曲げなどの成形によって形成された本体部１５１と、この本体部１５１に枢着部１５２によって回転自在に取り付けられた一対のシャッター片１５３Ａ、１５３Ｂとを有して構成されている。また、シャッター片１５３Ａ、１５３Ｂが、本体部１５１に対向するように本体部１５１の片側に配置され、シャッター片１５３Ａ、１５３Ｂと本体部１５１との連結位置（枢着部１５２）が、コネクタハウジング１０４のコネクタ穴１０４ａの中心軸線を介して両側となるところに位置しており、シャッター片１５３Ａ、１５３Ｂは本体部１５１との連結位置からコネクタ穴１０４ａに突出するようにして設けられている。
さらに、シャッター片１５３Ａ、１５３Ｂの先端部１５３ａ同士は重なり合っている。なお、この実施形態では、シャッター片１５３Ａ、１５３Ｂの先端部１５３ａ、１５３ａが重なり合っているものを示したが、これに限定されず、シャッター片１５３Ａ、１５３Ｂの先端部１５３ａ、１５３ａは重なり合っていなくてもよい。但し、重なり合っている場合には、コネクタ穴１０４ａ内の防塵性の確保の点で有利である。
【００７４】
また、この実施形態では、シャッターユニット１０５を構成する全ての部材、すなわち、本体部１５１、枢着部１５２、シャッター片１５３Ａ、１５３Ｂは、導電性を有する部材で形成されており、互いに電気導通可能に接続されている。ここに例示する実施の形態では、本体部や、シャッター片として、導電性を有するステンレス板を成形して形成したものを例示する。
【００７５】
前記本体部１０５は、プレート状の固定板部１５４と、この固定板部１５４の対向する両側から、固定板部１５４に対してほぼ直角となるようにして張り出された舌片状の張り出し部１５５Ａ、１５５Ｂとを有している。一対の張り出し部１５５Ａ、１５５Ｂの固定板部１５４からの突出向き（張り出し方向）は、固定板部１５４に対して、同じ向きになっている。
この張り出し部１５５Ａ、１５５Ｂは、シャッターユニット１０５をハウジング半体１０４Ａに組み込んだ時に、それぞれ、ハウジング半体１０４Ａのコネクタ穴１０４ａ１、具体的には、コネクタ穴１０４ａ１を、該コネクタ穴１０４ａ１の中心軸線を介して対向する両側の内側部を拡張した部分である拡張部１０４ｇ（図１９参照）に収納される。また、図２１（ｂ）に示すように、一方の拡張部１０４ｇは、コネクタ穴１０４ａ１をキー溝１０４ｅの側に拡張した部分であり、他方の拡張部１０４ｇは、コネクタ穴１０４ａ１をキー溝１０４ｅに対向する側に拡張した部分である。コネクタ穴１０４ａ１の中心軸線を介して対向する両側となる位置にてハウジング本体部１０４ｂ１に形成されている一対の係合爪１０４ｆは、拡張部１０４ｇの対の間に位置する。
【００７６】
両拡張部１０４ｇは、ハウジング半体１０４Ａの接合端面１０４ｉに開口しており、シャッターユニット１０５は、接合端面１０４ｉの側から、両張り出し部１５５Ａ、１５５Ｂを拡張部１０４ｇに挿入していくようにして、コネクタ穴１０４ａ１内に挿入して収納できる。
各拡張部１０４ｇは、ハウジング半体１０４Ａをコネクタ穴１０４ａ１の軸方向に貫通して形成されている訳ではなく、ハウジング半体１０４Ａにおける光コネクタ１６Ａの挿入口の側の端部（図１９左側）にて、ハウジング半体１０４Ａのコネクタ穴１０４ａ１内面から突設された壁部１０４ｊ（図９（ｂ）、図１４等参照。突壁）が、拡張部１０４ｇの最奥（接合端面１０４ｉから見て、最も奥側）を塞ぐ壁部として機能している。この壁部１０４ｊは、ハウジング半体１０４Ａに挿入された光コネクタ１６Ａのハウジング１７を支持してぐらつきを防止する機能を果たす。また、ハウジング半体１０４Ａのキー溝１０４ｅは、前記壁部１０４ｊに形成されている。
【００７７】
前記壁部１０４ｊは、コネクタ穴１０４ａ１の中心軸線を介して対向する両側に形成されており、この一対の壁部１０４ｊの間には、ハウジング半体１０４Ａに挿入される光コネクタ１６Ａのハウジング１７の断面形状とほぼ一致する形状の空間（この空間もコネクタ穴１０４ａ、１０４ａ１の一部）が確保されている。光コネクタ１６Ａのハウジング１７のキー１７ａが挿入される前記キー溝１０４ｅは、一対の壁部１０４ｊの内の一方（以下、符号１０４ｊ２を付して説明する場合がある）に形成されており、他方の壁部１０４ｊ（以下、符号１０４Ｊ１を付して説明する場合がある）には、キー溝は形成されていない。壁部１０４Ｊ１側の拡張部１０４ｇに収納された張り出し部１５５Ａ及び壁部１０４Ｊ２側の拡張部１０４ｇに収納された張り出し部１５５Ｂ、これら張り出し部１５５Ａ、１５５Ｂに設けられている枢着部１５２は、ハウジング半体１０４Ａへの光コネクタ１６Ａの挿入時に光コネクタ１６Ａのハウジング１７に干渉しないようになっている。
【００７８】
図２２に示すように、張り出し部１５５Ａ、１５５Ｂの両側には、枢着部１５２である軸（以下、枢着部１５２を軸とも言う）軸方向両端が突出されており（突出部１５２ａ）、各突出部１５２ａは、拡張部１０４ｇの対向する両側が、ハウジング本体部１０４ｂ１に溝状に切り込まれた部分である軸挿入溝１０４ｈに挿入される。軸挿入溝１０４ｈは、コネクタ穴１０４ａ１の軸方向に沿って延在形成されており、接合端面１０４ｉ側からコネクタ穴１０４ａ１に挿入していくシャッターユニット１０５は、各軸１５２の突出部１５２ａが軸挿入溝１０４ｈの最奥部に突き当たるところで挿入限界となる。このとき、軸１５２の突出部１５２ａは、軸挿入溝１０４ｈによってぐらつかないように安定支持される。また、シャッターユニット１０５の両張り出し部１５５Ａ、１５５Ｂは、コネクタ穴１０４ａ１の内、両側に拡張部１０４ｇが形成されている部分の内面に接するようになり、コネクタ穴１０４ａ１内に支持される。拡張部１０４ｇは、コネクタ穴１０４ａ１に収納したシャッターユニット１０５を位置決めする位置決め溝としても機能する。
このシャッター付き光コネクタ１００は、コネクタハウジング１０４にシャッターユニット１０５を組み込んで組み立てても、シャッターユニット１０５を組み込んでいない光コネクタアダプタに比べて殆ど大型化せず、シャッターユニット１０５を組み込んでいない光コネクタアダプタとほぼ同じ外形サイズとすることができる。
【００７９】
この実施形態では、一方のハウジング半体１０４Ａのコネクタ穴１０４ａ１内に収納されたシャッターユニット１０５の固定板部１５４に当接するようにして、コネクタ穴１０４ａ１内にスペーサ１０６が収納される。
スペーサ１０６には、固定板部１５４とは逆の側から、ハウジング半体１０４Ｂの端部１０４ｄが当接されるようになっており、これにより、シャッターユニット１０５とスペーサ１０６とが、ハウジング半体１０４Ｂによってコネクタ穴１０４ａ１から抜け出ないように押さえ込まれるとともに、コネクタ穴１０４ａ内でぐらつかないように安定収納される。なお、ハウジング半体１０４Ｂの端部１０４ｄは、スペーサ１０６に対して、該スペーサ１０６の固定板部１５４とは逆の側の端面１０６ｆの外周部に当接されるようになっており、光コネクタ１６同士の接続の障害にはならない。
【００８０】
前記本体部１５１の固定板部１５４は、シャッターユニット１０５をハウジング半体１０４Ａ内に組み込んだ時には、コネクタ穴１０４ａを横切るように配置される。また、スペーサ１０６も、コネクタ穴１０４ａを横切るように配置される。ただし、コネクタ穴１０４ａは、この本体部１５１の固定板部１５４の中央部に形成されている窓１５６、及び、スペーサ１０６に貫通して形成されているこの窓１０６ｂを介して、本体部１５１（詳細には固定板部１５４）の両側に連通され、本体部１５１の固定板部１５４やスペーサ１０６は、コネクタ穴１０４ａに対向する両側から挿入して接続される光コネクタ１６Ａ、１６Ｂ同士の接続の邪魔にならない。このシャッター付き光コネクタ１００では、コネクタ穴１０４ａに対向する両側から挿入された光コネクタ１６Ａ、１６Ｂの先端同士（具体的にはフェルール１９同士）が、丁度、前記スペーサ１０６の壁１０６ｄ付近で突き合わせ接続されるようになっている。
なお、前記本体部１５１の窓１５６には、各光コネクタ１６Ａの本体部１７が通過可能な大きさが確保されている。また、電磁波シールド性の確保の点では、前記窓１５６を出来る限り小さくすることがより好ましい。
【００８１】
スペーサ１０６は、ポリブチレンテレフタレート（ＰＢＴ）などの合成樹脂で一体成形された部材であり、ここでは、全体がカーボンフィラーなどの電磁波吸収作用を有する微細粉を含有した導電性樹脂による一体成形品を採用している。このスペーサ１０６は、コネクタ穴１０４ａ１を横切るようにコネクタ穴１０４ａ１内に挿嵌される本体部１０６ａと、この本体部１０６ａの中央部に貫通して形成された窓１０６ｂとを有する。また、このスペーサ１０６の本体部１０６ａの前記端面１０６ｆとは逆側の面の中央部には、光コネクタ１６Ａのハウジング１７の先端部が挿入される凹所１０６ｃが形成されている。前記窓１０６ｂは、本体部１０６ａにおいて、凹所１０６ｃの形成位置に対応して薄肉に形成された部分である壁部１０６ｄの中央部に開口されている。凹所１０６ｃは、窓１０６ｂに連通されており、窓１０６ｂに対して、前記端面１０６ｆとは逆の側に位置している。コネクタハウジング１０４に挿入された光コネクタ１６Ａは、ハウジング１７の先端部が凹所１０６ｃに挿入されることで、ハウジング１７先端部がスペーサ１０６によってぐらつかないように支持され、しかも、ハウジング１７先端部から突出するフェルール１９が、窓１０６ｂに挿入可能な位置に位置決めされる。
【００８２】
前述した通り、シャッターユニット１０５の前記枢着部１５２は、ここでは、張り出し部１５５Ａ、１５５Ｂの固定板部１５４からの突出先端に取り付けられた軸であり、シャッターユニット１０５をハウジング半体１０４のコネクタ穴１０４ａ１内に組み込んだ時には、丁度、コネクタハウジング１０４のコネクタ穴１０４ａの軸方向にほぼ直交する向きに配置される。したがって、この軸（枢着部１５２）によって本体部１５１に対して回転自在に枢着されるシャッター片１５３Ａ、１５３Ｂは、枢着部１５２である軸（以下、枢着部１５２を軸１５２ともいう）と同じ向き、すなわち、コネクタハウジング１０４のコネクタ穴１０４ａに対してほぼ直交する回転軸線をもって回転自在に支持される。この軸１５２は、張り出し部１５５Ａ、１５５Ｂ先端を筒状に湾曲成形した部分（軸保持部１５５ａ）の内側に収納保持されている。
なお、張り出し部１５５Ａ、１５５Ｂは、固定板部１５４からの突出位置が異なるのみであり、以下、張り出し部１５５Ａ、１５５Ｂに共通の構成をいう場合に、符号１５５を付して説明する場合がある。
【００８３】
図２２、図２３に示すように、シャッター片１５３Ａ、１５３Ｂは、シャッターユニット１０５の本体部１５１から前記コネクタ穴１０４ａに突出する舌片状の小板片である。このシャッター片１５３Ａ、１５３Ｂは、いずれも、第１実施形態に例示したシャッター片５３に若干の変更を加えた構成であり、軸保持部１５３ｂと、ストッパ当接部１５３ｃの位置、形状が異なる。また、遮光板部１５９は、シャッター片１５３Ａと、シャッター片１５３Ｂとで寸法が異なる。シャッター片１５３Ａの遮光板部には符号１５９Ａを、シャッター片１５３Ｂの遮光板部には符号１５９Ｂを付す。
以下、これらシャッター片１５３Ａ、１５３Ｂについて共通の構成をいう場合には、符号１５３を付して説明する場合がある。また、屈折部１５７、コネクタ当接部１５８については、第１実施形態に例示したシャッター片５３と同様の構成であり、シャッター片１５３Ａの屈折部には符号１５７Ａを、シャッター片１５３Ｂの屈折部には符号１５７Ｂを、シャッター片１５３Ａのコネクタ当接部には符号１５８Ａを、シャッター片１５３Ｂのコネクタ当接部には符号１５８Ｂを付して説明する場合がある。
【００８４】
シャッター片１５３Ａ、１５３Ｂは、遮光位置（後述）にあるときは、シャッター片１５３Ａ、１５３Ｂの先端部１５３ａ同士は重なり合う。シャッター片１５３Ａ、１５３Ｂは、コネクタ穴１０４ａに挿入された光コネクタ１６のハウジング１７の先端部１７ｂによって押圧されると、押し倒されて、待避位置（後述）に至るが、このとき、先端部１５３ａ同士の重なりが解除される。コネクタ穴１０４ａから光コネクタ１６が引き抜かれ、シャッター片１５３Ａ、１５３Ｂが遮光位置に復帰するときは、再び、先端部１５３ａ同士が重なり合う。
【００８５】
図１９に示すように、シャッター片１５３は、軸１５２を中心とする回転によって、軸１５２から固定板部１５４側に向けて斜めに若干傾斜する姿勢（図１９実線に示すシャッター片１５３Ａ、１５３Ｂの位置。この位置を、以下「遮光位置」ともいう）と、張り出し部１５５Ａ、１５５Ｂとほぼ重ね合わされる姿勢（図１９中想像線で示すシャッター片１５３Ａ、１５３Ｂの位置。以下、この位置を「待避位置」ともいう）とを切り替えることができる。
【００８６】
ただし、図２３に示すように、シャッター片１５３は、遮光位置（図２３実線で示す位置）では、前記ストッパ当接部１５３ｃが張り出し部１５５の突出先端部の表面に突き当たることで、固定板部１５４に対する逆側（つまり、シャッター片１５３Ａについては図１９反時計回り）へのそれ以上の回転が規制される。このことは、シャッター片１５３Ｂについても同様である（シャッター片１５３Ｂについては、図１９実線で示す遮光位置から時計回りの回転が規制される）。張り出し部１５５の固定板部１５４からの突出先端部は、遮光位置から固定板部１５４に対する逆側へのシャッター片１５３の回転を規制するストッパ１５５ｂとして機能する。
【００８７】
なお、両シャッター片１５３Ａ、１５３Ｂが遮光位置にあるときは、コネクタ穴１０４ａがその断面方向ほぼ全体にわたって塞がれるため、この状態では、例えば、図１９に示すように、コネクタ穴１０４ａの片側の開口部から先行して挿入接続された光コネクタ１６Ｂ先端（詳細には光コネクタ１６先端の接合端面１９ｂ。この光コネクタ１６Ｂを被接続側光コネクタとする）に露出する光ファイバ１９ａからの出射光が、コネクタ穴１０４ａの反対側の開口部から飛び出ることを防止できる。また、この遮光位置では、各シャッター片１５３の先端部１５３ａ同士が重なるため、電磁波シールド性の点でも、優れた性能が得られる。
【００８８】
また、両シャッター片１５３Ａ、１５３Ｂが遮光位置にあるときは、コネクタ穴１０４ａにおける前記シャッター片１５３とスペーサ１０６との間に位置する区間への埃などの侵入を防止する防塵性を発揮するため、被接続側光コネクタ１６Ｂ先端（具体的にはフェルール１９の接合端面１９ｂ）が埃などの付着によって汚染されるなどの不都合を防止できる。
【００８９】
このシャッターユニット１０５には、シャッター片１５３の付勢部材として、第１実施形態に例示したトーションバネ等のバネ（図示略）が設けられる。また、付勢部材としては、シャッターユニット１０５の本体部１５１の一部をバネ状に成形したものや、シャッター片１５３の一部を板バネ状に加工したものなど、各種構成が採用可能である。付勢部材は、シャッター片１５３を固定板部１５４から遠ざける方向に付勢する機能を果たす。遮光位置にあるシャッター片１５３Ａ、１５３Ｂは、バネの付勢力によってストッパ当接部１５３ｃに押し付けられるようになり、ぐらつかないように保持される。
【００９０】
上述したシャッター付き光コネクタ１００では、コネクタハウジング１０４のコネクタ穴１０４ａ内にて光コネクタ１６Ａ、１６Ｂ同士を接続する場合、シャッターユニット１０５が収納されていないハウジング半体１０４Ｂの開口部（図１９の右側）からコネクタハウジング１０４に光コネクタ１６Ｂを挿入した後、シャッターユニット１０５が収納されているハウジング半体１０４Ａの開口部（図１９の左側）からコネクタハウジング１０４に光コネクタ１６Ａを挿入接続する。この手順によれば、先行してコネクタハウジング１０４に挿入されている光コネクタ１６Ｂ先端からの出射光（具体的には光コネクタ１６先端の接合端面１９ｂに露出する光ファイバ１９ａからの出射光）がシャッターユニット１０５の両シャッター片１５３Ａ、１５３Ｂによって遮光されて、コネクタ穴１０４ａから飛び出すことが防止されるため、後からコネクタハウジング１０４に挿入して被接続側光コネクタ（光コネクタ１６Ｂ）に対して接続する光コネクタ１６Ａのコネクタ穴１０４ａへの挿入、接続作業の際に、被接続側光コネクタからの出射光が邪魔になるといった不都合が無く、接続作業を効率良く行える。
【００９１】
また、このシャッター付き光コネクタ１００では、ハウジング半体１０４Ａのコネクタ穴１０４ａ１へ光コネクタ１６Ａを挿入していけば、この光コネクタ１６Ａのフェルール１９先端の接合端面１９ｂがシャッター片１５３Ａ、１５３Ｂに接触する前に、ハウジング１７の先端部１７ｂによって両シャッター片１５３Ａ、１５３Ｂのコネクタ当接部１５８を押圧することで、両シャッター片１５３Ａ、１５３Ｂを前記コネクタ穴１０４ａ１内への突出量を減少するように押し倒して、光コネクタ１６を押し込むことができる。光コネクタ１６Ａのハウジング１７の先端部１７ｂは、シャッター片１５３Ａ、１５３Ｂのコネクタ当接部１５８Ａ、１５８Ｂを押し倒して、シャッター片１５３Ａ、１５３Ｂとスペーサ１０６との間の領域に進入させて、光コネクタ１６Ｂに対する接続作業を行うことができる。この実施形態でも、コネクタハウジング１０４内において、各シャッター片１５３Ａ、１５３Ｂは、前記遮光板部１５９が、前記コネクタ当接部１５７に比べて、前記光コネクタ１６による該シャッター片１５３の押し倒し方向前方にシフトした所に位置する向きで配置されており、この接続作業において、フェルール１９先端の接合端面１９ｂがシャッター片１５３に接触することがなく、フェルール１９並びに光コネクタ１６Ａの光特性を安定に維持できる。
また、前記コネクタ穴１０４ａから前記光コネクタを抜き去ると、シャッター片１５３が、付勢部材の付勢力によって前記出射光を遮光可能な位置（前述の遮光位置）に復帰する。
【００９２】
また、この実施形態でも、コネクタ当接部１５８（詳細には、コネクタ当接部１５８における光コネクタ１６Ａのハウジング先端部１７ｂの当接位置）に対する遮光板部１５９（詳細には、遮光板部１５９における光コネクタ１６Ａのフェルール１９の接合端面１９ｂとの対面位置）の、光コネクタ１６によるシャッター片１５３Ａ、１５３Ｂの押し倒し方向前方へのシフト量が、光コネクタ１６Ａのハウジング先端部１７ａからのフェルール１９の突出寸法Ｓ２よりも大きく確保されているため、光コネクタ１６Ａのハウジング先端部１７ａがシャッター片１５３Ａ、１５３Ｂを押圧することによるシャッター片１５３Ａ、１５３Ｂの押し倒しは、前記シフト量が前記突出寸法Ｓ２よりも小さい場合に比べて、コネクタハウジング１０４に対して光コネクタ１６Ａを深く挿入したところで開始されるように構成できるため、これにより、コネクタ穴１０４ａの防塵性を向上できる利点がある。しかも、ハウジング半体１０４Ａへの光コネクタ１６Ａの挿入によって、シャッター片１５３Ａ、１５３Ｂが被接続側光コネクタ１６Ｂ先端からの出射光を遮光できないところまで回転変位したときには、光コネクタ１６Ａ先端が被接続側光コネクタ１６Ｂに近いところに達するため、光コネクタ１６Ａ自体によって、被接続側光コネクタ１６Ｂ先端からの出射光を確実に遮光することができる点も第１実施形態と同様であり、コネクタハウジング１０４に対する光コネクタ１６Ａの挿入、接続の作業途中でも、コネクタ穴１０４ａから出射光が飛び出ることを確実に防止できる。
【００９３】
（コネクタ取付穴の電磁波シールドについて）
この実施形態のシャッター付き光コネクタ１００では、コネクタハウジング１０４、スペーサ１０６として導電性を有するものを採用したことにより、例えば、図２〜図４に例示した筐体１１の取付壁１２に取り付けた場合に、コネクタ取付穴１３の電磁波シールド性能を良好に確保できる。電磁波シールド機能を有するコネクタハウジング１０４、スペーサ１０６としては、電磁波吸収作用を有する微細粉を成形樹脂中に混入分散した合成樹脂材料による成形に限定されず、例えば、合成樹脂などからなる基材に導電性の塗料（例えば、電磁波吸収作用を持つ磁性金属粉を混入したペーストなど）を塗布して形成した導電性塗膜を有するもの、導電性繊維（金属繊維など）からなる導電性布帛を固定したものなども採用可能である。また、電磁波吸収作用を有する微細粉としては、カーボンフィラーに限定されず、各種材料が採用可能である。
【００９４】
この実施形態のシャッター付き光コネクタ１００では、特に、スペーサ１０６が、コネクタ取付穴１３の電磁波シールド性の確保に有効に寄与する。スペーサ１０６は、コネクタ穴１０４ａをその断面方向にほぼ全体にわたって塞ぐようになっており、シャッター付き光コネクタ１００を取付壁１２のコネクタ取付穴１３に挿入して取付壁１２に取り付けたときに、コネクタ取付穴１３のほぼ全体を塞ぐように配置される。そして、スペーサ１０６と接触して電気導通可能になっているコネクタハウジング１０４や、コネクタハウジング１０４に設けた接続回路などによって、スペーサ１０６のグランドを確保しておくことにより、スペーサ１０６を電磁波シールド用の部材として有効に機能させることができ、これにより、コネクタ取付穴１３の電磁波シールド性を確保できる。
また、このシャッター付き光コネクタ１００では、コネクタハウジング１０４も電磁波シールド機能を有する部材として機能させることができるため、結果的に、フェルール１９の外形よりも僅かに大きい程度の窓１０６ｂの部分を除いて、コネクタ取付穴１３の殆どの部分を電磁波シールド機能を有する部材によって塞ぐことができ、優れた電磁波シールド性が得られる。つまり、このシャッター付き光コネクタ１００が取付壁に取り付けられると、取付壁のコネクタ取付穴がシャッター付き光コネクタ１００によってほぼ隙間無く塞がれた状態となる。さらに、このシャッター付き光コネクタ１００では、シャッターユニット１０５も導電性部材を採用したことにより、より高い電磁波シールド機能が得られる。
【００９５】
図１９に示すように、コネクタ半体１０４Ｂの外側には、第１実施形態にて説明したシールドカバーと同様の構造のシールドカバー２０Ａを装着、固定するための浅溝１０４ｐが形成されている。従い、この浅溝１０４ｐに嵌め込むようにしてコネクタ半体１０４Ｂにシールドカバー２０Ａを装着することで、シャッター付き光コネクタ１００の取付壁に対する取り付けを、コネクタ取付穴１３の押し込みによって簡単に行えるようになり、また、コネクタハウジング１０４やスペーサ１０６のグランドの確保も容易に実現できる。
コネクタハウジング１０４を介してスペーサ１０６のグランドを確保する構成であれば、特別な接続回路等をシャッター付き光コネクタ１００に設ける必要が無くなるため、シャッター付き光コネクタの低コスト化に寄与する。また、シャッターユニット１０５に、コネクタハウジング１０４の外側に突出する通電用コンタクトを突設するなどによって、シャッターユニット１０５をグランド用の接続回路として機能させることも可能である。
【００９６】
なお、本発明は、前述の実施形態に限定されず、各種変更が可能である。
例えば、シャッターユニットの具体的形状は、前述の実施形態に例示したものに限定されず、適宜設計変更可能である。
また、前記実施形態では、ＭＰＯ形光コネクタの光コネクタプラグ同士の接続に用いられる光コネクタアダプタへの適用例を例示したが、本発明はこれに限定されず、ＭＰＯ形光コネクタ以外の光コネクタプラグ同士の接続に用いられる光コネクタアダプタに適用可能である。また、光コネクタアダプタに限定されず、例えば光コネクタレセプタクルなど、光コネクタプラグが挿入、接続されるコネクタ穴を有する各種光コネクタに適用可能である。
シャッターユニットやスペーサのグランドを確保するための構成としては、シャッターユニットを、グランドとして機能する取付壁に電気導通可能に接続する構成に限定されず、例えば、別途配線されたグランド用の電線との接続など、各種採用可能である。
シャッター付き光コネクタの取り付け対象の取付壁としては、機器の筐体の一部に限定されず、例えば、光配線盤などの架体において光コネクタアダプタなどの光コネクタを実装するためのパネルなど、各種構成が採用可能である。
シャッター片を本体部に枢着する枢着部としては、前記軸以外、各種構成が採用可能である。また、シャッターユニットの本体部とシャッター片との連結部としては、軸等に限定されず、光コネクタからの押圧力により弾性変形可能な部材など、各種構成が採用可能である。
【００９７】
【発明の効果】
以上説明したように、本発明のシャッター付き光コネクタによれば、シャッターユニットによって、被接続側光コネクタからの出射光を遮光できるため、被接続側光コネクタに対する別の光コネクタの接続作業を効率良く行える。また、光コネクタの接続作業において、光コネクタのフェルールの先端部が、シャッターユニットのシャッター片に接触しないから、フェルールの先端部が損傷などの不都合を確実に防止でき、光コネクタの光特性を安定に維持できる。また、光コネクタの着脱を繰り返し行っても、光コネクタの光特性に悪影響を与えないから、光コネクタの光特性を長期にわたって安定に維持できる。
【図面の簡単な説明】
【図１】本発明の第１実施形態のシャッター付き光コネクタの構造を示す図であって、（ａ）は平面図、（ｂ）は左側面図、（ｃ）は正面図、（ｄ）は右側面図である。
【図２】筐体の取付壁に対する図１のシャッター付き光コネクタの取付状態を示す図であって、取付壁のコネクタ取付穴付近を示す断面図である。
【図３】図２の取付状態を筐体外側から見た斜視図である。
【図４】取付壁に形成されたコネクタ取付穴を示す斜視図である。
【図５】図２の取付状態を筐体内側から見た斜視図である。
【図６】図１のシャッター付き光コネクタのシャッターユニットを示す斜視図である。
【図７】図１のシャッター付き光コネクタを示す全体斜視図である。
【図８】図１のシャッター付き光コネクタの構造を示す分解図である。
【図９】（ａ）、（ｂ）は、図１のシャッター付き光コネクタのコネクタハウジングを示す断面図である。
【図１０】図１のシャッター付き光コネクタのシャッターユニットの本体部を示す図であって（ａ）は平面図、（ｂ）は正面図、（ｃ）は一方の張り出し部の側から見た側面図である。
【図１１】図１０のシャッターユニットの本体部を示す斜視図である。
【図１２】図１０のシャッターユニットのシャッター片のストッパ当接部と、張り出し部先端のストッパとの関係を示す拡大図である。
【図１３】図１０のシャッターユニットに適用されるシャッター片の各種構成を示す斜視図である。
【図１４】光コネクタアダプタに挿入、接続される光コネクタプラグ先端部とシャッターユニットの窓との関係を示す断面図である。
【図１５】光コネクタアダプタに挿入、接続される光コネクタプラグ先端部とシャッターユニットの窓との関係を示す断面斜視図である。
【図１６】光コネクタアダプタに挿入、接続される光コネクタプラグ先端部とシャッターユニットとの関係を示す部分断面図である。
【図１７】全体が１枚の金属板からなる１部品のシャッターユニットを示す斜視図である。
【図１８】図１７のシャッターユニットをコネクタハウジング内に組み込んだ状態を示す断面図である。
【図１９】本発明の第２実施形態のシャッター付き光コネクタの構造を示し、光コネクタアダプタに挿入、接続される光コネクタプラグ先端部とシャッターユニットとの関係を示す断面図である。
【図２０】本発明の第２実施形態のシャッター付き光コネクタの構造を示し、光コネクタアダプタに挿入、接続される光コネクタプラグ先端部とシャッターユニットとの関係を示す断面斜視図である。
【図２１】図１９のシャッター付き光コネクタの一方のハウジング半体を示す斜視図である。
【図２２】図１９のシャッター付き光コネクタのシャッターユニットを示す斜視図である。
【図２３】図２２のシャッターユニットのシャッター片のストッパ当接部と、張り出し部先端のストッパとの関係を示す拡大図である。
【図２４】本発明に係るシャッター付き光コネクタを適用した光コネクタレセプタクルを示す断面図であり、（ａ）はコネクタハウジングに別体の被接続側光コネクタを組み込んだ構成、（ｂ）はコネクタハウジングと一体に被接続側光コネクタを形成した構成を示す。
【図２５】光コネクタアダプタを介した光コネクタプラグの接続を示す断面図である。
【図２６】機器の筐体の取付壁（パネル）に対する光コネクタアダプタの取付状態を示す斜視図である。
【図２７】図２６の取付壁に開口されたコネクタ取付穴を示す斜視図である。
【図２８】図２６の光コネクタアダプタの取付壁に対する取付状態を示す図であって、コネクタ取付穴付近を示す断面図である。
【符号の説明】
１０・・・シャッター付き光コネクタ、１２・・・取付壁、１３・・・コネクタ取付穴、  １４，４５ｈ，１０４・・・コネクタハウジング（光コネクタアダプタ）、１４ａ，４６，１０４ａ・・・コネクタ穴、１４Ａ，１４Ｂ・・・ハウジング半体、１５，１０５・・・シャッターユニット、１６，４７，１６Ａ・・・光コネクタ、１６Ｂ，４８・・・被接続側光コネクタ、１９ｂ・・・接合端面、４０，５３，５３Ａ，５３Ｂ，１５３，１５３Ａ，１５３Ｂ・・・シャッター片、４１，５９，１５９・・・遮蔽板部、４２，５８，１５８・・・コネクタ当接部、５１，１５１・・・本体部（遮蔽板）、５２，１５２・・・枢着部（軸）、５４，１５４・・・固定板部（遮蔽板）、５６，１５６・・・窓、５７，１５７，１５７Ａ，１５７Ｂ・・・屈折部。
【図１】
2004226665.tif 000003
【図２】
2004226665.tif 000004
【図３】
2004226665.tif 000005
【図４】
2004226665.tif 000006
【図５】
2004226665.tif 000007
【図６】
2004226665.tif 000008
【図７】
2004226665.tif 000009
【図８】
2004226665.tif 000010
【図９】
2004226665.tif 000011
【図１０】
2004226665.tif 000012
【図１１】
2004226665.tif 000013
【図１２】
2004226665.tif 000014
【図１３】
2004226665.tif 000015
【図１４】
2004226665.tif 000016
【図１５】
2004226665.tif 000017
【図１６】
2004226665.tif 000018
【図１７】
2004226665.tif 000019
【図１８】
2004226665.tif 000020
【図１９】
2004226665.tif 000021
【図２０】
2004226665.tif 000022
【図２１】
2004226665.tif 000023
【図２２】
2004226665.tif 000024
【図２３】
2004226665.tif 000025
【図２４】
2004226665.tif 000026
【図２５】
2004226665.tif 000027
【図２６】
2004226665.tif 000028
【図２７】
2004226665.tif 000029
【図２８】
2004226665.tif 000030